Podtech/llm-jp-corpus-v4-ja_patent huggingface dataset:
(57)【要約】【課題】少ない水耕用水槽面積を拡大利用し、太陽光を効率よく受け、良質の野菜の増産と、労力の低減を目的とする栽培機構【解決手段】苗床を多角筒状に組み立て、水槽内に半径を水没し、残る半径は水面より上部の空中位置にあり、それを手動又わ減速機付モーターで連続又わ断続して回転し野菜を生育する事で良質野菜の増産と作業の効率化を図る事が可能である。【選択図】図１
2004290165.tif 000002
【特許請求の範囲】
【請求項１】
軸を中心として回転する多角筒形又は円筒形の苗床保持枠に種座を嵌入する穴を成型した苗床を分割して着脱可能にはめ込み、筒形の上部半径は空中に、下部半径は水槽内に水没せしめ、手動又わ減速機付モーターで回転して野菜を育成する装置。
【請求項２】
多角形の各辺の分割苗床毎に育成開始日の異なる苗を植えて、日を追って順次に収穫時期を選べる構造。
【発明の詳細な説明】
【０００１】
【発明の属する技術分野】
本発明は水空栽培の苗床保持枠の形状及び苗床の取り付けと回転に関するものである。
【０００２】
【従来の技術】
従来の水耕栽培装置は水槽内に苗床を浮かべて野菜を育成するか苗床を円筒内中に吊架して養液を噴霧し育成する方法（特開平−２８９１０４）の回転式水耕栽培装置があるが栽培面積に制約がある。
【０００３】
【発明が解決しようとする課題】
従来の苗床は水槽内に浮かべる為其の面積は水槽の内径寸法により制約される。太陽光も苗床が平面のため照射が不足の時がある
【０００４】
本発明は苗床を多角筒形又わ円筒形の保持枠の外形に合わせて分割して着脱可能にはめ込む事により水槽内に平面的に浮かべた苗床よりも広い苗床面積を得る事が可能であり、且つ保持枠の中心軸を手動又わ減速機付モーターで栽培野菜の種類に合わせて断続又は連続回転することで滞空と水没を繰り返し生育を刺激し、且つ太陽光を充分照射する事により栄養に富む野菜の量産が可能となる。
【０００５】
【課題を解決するための手段】
従来は水面に平らに苗床を浮かべるが、同一水槽巾で栽培面積を拡大するには苗床を回転軸芯方向より見て三角、四角、菱型、五角、七角、八角、九角、十角、等の多角形、或いは円形を分割した立体の筒体に組み立てる事により可能となる。其れらの多角形或いは分割円の単体苗床を連結し、固定する為、水車状の保持枠を構成し、夫れ夫れの単体苗床を保持枠に嵌め込み、かつ苗の上面部分を開けた固定用の押さえ蓋で押さえる、尚、押さえ蓋は各苗床毎に蝶板で開閉し、ロックする機構とする。
【０００６】
上記から野菜が発芽するまでは別の多段苗床で育成し、発芽状況を見てから苗床を回転保持枠に移設することが可能である。
又、密集育成棚で育成した種座のみを発芽後抜き取り回転苗床に移植することも可能である。
【０００７】
苗床の水中或いは空中の滞在時間は野菜の種類により設定さるが、手動の場合いはハンドルにより回転し、ハンドル軸部をＵ字金具で定位置に固定する。減速機付モーターの場合はシーケンス制御により作動角度と時間を設定し自動運転する。
【０００８】
【発明の効果】
本発明は、限定された平面積内での野菜の水耕栽培による生育を立体的な水空栽培機構に変える事で栽培面積の増大と、野菜に水中と空中の滞在を断続する刺激を与えることで生育を促し、生産量を増大し、且つ苗床が立面となるため野菜に太陽光を充分照射するので栄養に富む成分の保有が可能となり、且つ、作業者に対して苗床が立体的となる為、腰を曲げる事なく収穫作業が楽に行える。
【図面の簡単な説明】
【図１】本図は手動式の野菜水空栽装置の立体図である、
【図２】本図はモーター駆動動式の野菜水空栽装置の正面図である。
【図３】苗床保持枠の軸芯方向から見た各種の外周形状である。
【符号の説明】
１  苗床保持枠
２  苗床
３  種座
４  苗床押さえ蓋
５  蝶番
６  ロック金具
７  回転軸
８  回転ハンドル
９  軸受け
１０  定位置ストッパー
１１  水槽
１２  給水バルブ
１３  排水バルブ
１４  水槽補強枠
１５  キャスター
１６  減速機付モーター
１７  ウオーム
１８  ウオームホイール
【図１】
2004290165.tif 000003
【図２】
2004290165.tif 000004
【図３】
2004290165.tif 000005
(57)【要約】      （修正有）【課題】粘液と小さくて扱いにくいナメコを大きくすることにより栽培農家の収益増大と労慟力の削減を得る。【解決手段】ナメコの種を接種した菌床１に定期的に散水圧以外の外圧をかける。【選択図】            図１
2004290166.tif 000002
【特許請求の範囲】
【請求項１】
ナメコの種を接種した菌床（１）に定期的に散水圧以外の外圧をかける。
【発明の詳細な説明】
【０００１】
【発明の属する技術分野】
この発明はキノコ類ナメコの種を接種した菌床（１）を定期的に外圧をかけることによりナメコを６倍以上の大きさにして生産農家の収益増大と持ちやすくして出荷の時の労働力を削減させる大型ナメコ栽培技術に関する。
【０００２】
【従来の技術】
従来はナメコの種を接種した菌床（１）をそのまま安置して、乾燥防止の細霧及び散水管理だけである。
【０００３】
【発明が解決しようとする課題】
ナメコの長さは２〜３ｃｍと小さく表面に粘液が付いているためにすべって菌床からナメコを取り外す作業と出荷の梱包に労力がかかる問題があった。
【０００４】
【課題を解決するための手段】
抑制効果でリバウンドを起こさせる。
【０００５】
【発明の実施の形態】
ナメコの種を接種した菌床（１）に２日に一度型（２）などに入れ上部より重し（３）などで、ナメコの発生時まで定期的に外圧をかける。
【０００６】
【発明の効果】
本発明は、以上説明したように構成されているので、以下に記載されるような効果を奏する。
【０００７】
最高２１ｃｍの大型ナメコに成長。粘液、味は変わらず。菌床からナメコを取り外す作業スピードは４倍早くなり、出荷の梱包作業においても２倍のスピードアップとなった。
【０００８】
【図面の簡単な説明】
【図１】外圧をかけたときの断面図である。
2004290166.tif 000003
【図１】
2004290166.tif 000004
【手続補正書】
【提出日】平成15年6月24日(2003.6.24)
【手続補正１】
【補正対象書類名】明細書
【補正対象項目名】図面の簡単な説明
【補正方法】変更
【補正の内容】
【図面の簡単な説明】
【図１】菌床に外圧をかけたときの断面図である。
【符号の説明】
１、菌床
２、型
３、重し
(57)【要約】【課題】食味の良いおいしい低蛋白パンを提供する。【解決手段】パン生地として、小麦粉に代えて、その一部（１０％以上）又は全部を低蛋白米パウダーに置き換えて、常法通り製パンしてなり、品質改良材として、多糖類、食物繊維、酸化剤を適宜量添加してなる。【選択図】  なし【特許請求の範囲】
【請求項１】
パン生地として、小麦粉に代えて、その一部（１０％以上）又は全部を低蛋白米パウダーとして、常法通り製パンしてなる低蛋白パンの製造方法。
【請求項２】
品質改良材として、多糖類、食物繊維、酸化剤を添加してなる請求項１記載の低蛋白パンの製造方法。
【発明の詳細な説明】
【０００１】
【産業上の利用分野】
本発明は低蛋白パンの製造方法に関するものである。
【０００２】
【従来の技術】
腎臓病患者用の食品として低蛋白食品が提供されており、その製造手段として従前より種々提案されている。
【０００３】
例えばパン用小麦粉に澱粉（小麦粉澱粉、馬鈴薯澱粉）を配合して、その含有蛋白量を６．５〜７．５％とした低蛋白パン用穀粉組成物を主原料とし、常法手段で製パンしたり（特許文献１）また、低蛋白小麦粉を５５〜８０重量％の割合でパン用小麦粉に配合し、小麦粉組成物１００重量部に対し３〜３０重量部の糖質、５〜３０重量部の油脂を配合し、０．４〜１．２重量部の食塩を配合することを特徴とする低塩低蛋白パンの製造方法が提案されている（特許文献２）。
【０００４】
またパンの主原料である小麦粉の５０％以上を澱粉に置換し、増粘多糖類と食物繊維とを併用添加することにより、発酵及び焼成中に発生するガスを生地中に保持させて、ソフトな食感を有する製パン手段が提案されており（特許文献３）、更に小麦粉２５〜５０質量部、α化澱粉を除く澱粉４５〜７０質量部及びα化澱粉５〜１５質量部を含むことで低蛋白パンを製造する手段が提案されている（特許文献４）。また小麦澱粉を混合するに際して、大粒澱粉を採用することも提案されている（特許文献５）。
【０００５】
また米粉を用いてパンを製造する手段も知られている（特許文献６）。しかし前記のパン生地は、気泡が内在しふっくらとしたパンにするために活性グルテンを添加しており、低蛋白パンとはならない。
【０００６】
【特許文献１】
特開平５−７４４８号公報。
【特許文献２】
特開平９−１６８３６２号公報。
【特許文献３】
特開平１１−１５５４６７号公報。
【特許文献４】
特開２００１−２２４３００号公報。
【特許文献５】
特開２００２−１６９号公報。
【特許文献６】
特開平１１−１３２７０６号公報。
【０００７】
【発明が解決しようとする課題】
前記の従来における低蛋白パンは、パン生地となる小麦粉の一部を、小麦澱粉や馬鈴薯澱粉に置き換えることを基本手段としている。しかし澱粉の添加はパンのうま味を損ない、砂糖や油脂などの調整食材を添加しても、充分な改善はなされない。
本発明は、澱粉を使用したパンより、米粉を使用したパンの方がパンのうま味を醸し出すことに着目し、新規な低蛋白パンの製造方法を提案したものである。
【０００８】
【課題を解決する手段】
本発明に係る低蛋白パンの製造方法は、パン生地として、小麦粉に代えて、その一部（１０％以上）又は全部を低蛋白米パウダーとして、常法通り製パンしてなることを特徴とするものである。
【０００９】
低蛋白米パウダーは、米を乳酸発酵処理によって低蛋白化したり、米を酵素処理して低蛋白化したり、或いは乳酸発酵処理及び酵素処理を併用して低蛋白化し、低蛋白化米を粉化処理してパウダーとしたものであり、パン生地に使用する小麦粉の一部又は全部を前記低蛋白米パウダーに置き換えて常法通り製パンすると、低蛋白のパンが製出されるものである。
【００１０】
また本発明（請求項２）は、品質改良剤として、多糖類、食物繊維、酸化剤を添加してなることを特徴とするもので、特に低蛋白米パウダーの置換率を高めると、パンのふくらみが悪くなり、また食感が餅状となってしまうので、前記の生地中に気泡を抱き込む膜を形成し、更に膜を強化する前記品質改良材を添加し、餅状となるのを回避する。
【００１１】
【実施の形態】
次に本発明の実施の形態について説明する。本発明は、パン生地の一部又は全部に、小麦粉に代えて低蛋白米パウダーを使用して、あとは常法通り製パンするものである。
【００１２】
低蛋白米パウダーは、乳酸発酵処理や酵素処理或いは両者を併用して低蛋白化した米を粉化処理したものである。具体的には、洗米を乳酸発酵させると、発酵過程でタンパク質の変性が認められ、低蛋白化する。また、洗米を蛋白分解酵素液に所定環境下で浸漬すると、米組織内のタンパク質が分解して低蛋白化する。
【００１３】
これらの低蛋白処理を行った米パウダーをパン生地として使用するもので、小麦粉との置換量に応じて製出されるパンの蛋白量が低下するもので、表１に示した材料で、常法通りの製パンを行った。
【００１４】
【表１】
2004290160.tif 000002
【００１５】
具体的な手順にそって説明すると、全材料をミキシング（ビータＬ１Ｍ２）して捏ね上げる（捏上温度２７℃）。尚生地が通常のパン生地よりゆるみ易いので、捏ね上げ時間を短くした。
【００１６】
生地混捏を終了すると発酵させるもので、２８℃、湿度７５％の雰囲気下で３０分間の発酵（フロアータイム）を行う。この発酵時間は、生地の特性を考慮して従前の発酵時間より短くしている。
【００１７】
発酵後には、所定の大きさに分割（比容積２．７）し、２０分間のねかし（ベンチタイム）を行った後に成形（モルダー使用、プルマン型）し、ほいろ工程（３８℃、湿度８０％雰囲気下で６０分放置）後、焼成（２２０℃、３５分）する。
【００１８】
製出されたパンは、生地か切れやすく伸びが悪いため比容積を小さくしたので、やや重いが、焼き色が良く外観は通常のパンと変わらない。そしてしっとり感があり、独特の甘みがあり、美味なパンにできあがった。
【００１９】
前記の製出されたパンの蛋白含有量は、３ｇ／１００ｇであった。五訂食品成分表に記載されている市販食パンの蛋白量は９．３ｇ／１００ｇである。従って低蛋白を実現した食味の良いパンを提供できたものである。尚蛋白質の分析はケルダール法によって行った。
【００２０】
また本発明は前記実施例に限定されるものではなく、強力粉以外の小麦粉を使用しても良いし、多糖類としてはキサンタンガム、ジェランガム、カードラン等が採用できるし、食物繊維としては、他にヘミセルロースやメチルセルロースでも良いし、酸化剤としては、臭素酸カリウムやイーストフードを採用しても良い。
【００２１】
また低蛋白米パウダーの置換率は、前記の６０％に限定されるものではなく、１０〜１００％の範囲で置き換えができる。そして置き換え率に対応して品質改良材の添加量を調整すれば良い。更に製パン工程も前記した直捏法の他に中種法を採用しても良い。
【００２２】
【発明の効果】
以上のとおり本発明は、パン生地として、小麦粉に代えて、その一部（１０％以上）又は全部を低蛋白米パウダーに置換して、常法通り製パンしてなる低蛋白パンの製造方法で、澱粉に置換する従前の低蛋白パンに比較して各段に食味の良いパンを提供することができたものである。
(57)【要約】【課題】ハナビラタケの食材としての好適合性（優れた食感、風味）が活かされ、ハナビラタケを豊富に含有するかつ機能性のある新しい佃煮の製造方法を提供する。【解決手段】乾燥又は生のハナビラタケ１０ｋｇを野菜裁断用カッターで、約４ｃｍに裁断し、食塩濃度７ｗ／ｖ％、砂糖濃度１５ｗ／ｖ％と、極く小量の化学調味料を含む調味液（ＰＨ５．３に調製）を準備し、その１８ｋｇに前記ハナビラタケを浸漬し、３５℃以下の室温で５時間浸漬させ、次に約９０℃の温度にて４時間加熱処理を行い、さらに加熱を続け、水分率が４０％になるまで加熱する佃煮の製造方法。【選択図】  なし【特許請求の範囲】
【請求項１】
乾燥又は生のハナビラタケからなる佃煮。
【請求項２】
乾燥又は生のハナビラタケを食塩濃度１０（ｗ／ｖ）％以下の調味液に浸漬し、その後水分含量を調整することを特徴とするハナビラタケ含有佃煮の製造方法。
【発明の詳細な説明】
【０００１】
【発明の属する利用分野】
本発明は、ハナビラタケの食材としての好適合性（優れた食感、風味）を活かした佃煮およびその製造方法に関する。
【０００２】
【従来の技術】
きのこ由来の多糖類の有用性については、水野ら（非特許文献１参照）が多糖類の抗腫瘍性に関する研究成果を報告して以来、多糖類と生理活性との関係が注目され、研究が活発化している。きのこ由来の生理活性物質として、抗変異原物質、抗生物質、抗腫瘍物質、神経成長因子合成促進物質、コレステロール低下物質、血小板凝集阻害物質、摂食抑制物質などが報告されている（非特許文献２参照）。宿前らはハナビラタケ子実体の抽出物に着目し、各種の生体賦活組成物や医薬品等に有用なハナビラタケの菌体の抽出物とこれを有効成分とする生体賦活組成物並びに抗腫瘍剤に関する提案を行っている（特許文献１参照）。また、ハナビラタケ由来のβ−グルカンの抗腫瘍作用については大野らの報告がある（非特許文献３参照）。一方で、ハナビラタケは、優れた食感、風味などを有し、食材としても珍重されている。
【０００３】
一方、佃煮は、えび、小魚、アミ等の魚介類、こんぶ、のり等の海藻類、筍、ふき等の野菜類を原料とし、これに醤油、砂糖、水飴等の調味料を加えて作った食品で、長期保存に耐える特性を有するものである。
【０００４】
【非特許文献１】
「きのこの科学」  Ｖｏｌ．２  Ｎｏ．３  Ｐ９９（１９９５）
【非特許文献２】
「きのこの科学」朝倉書店、ｐ１４３〜１７９、（１９９７）
【特許文献１】
特開２０００−２１７５４３号公報
【非特許文献３】
Ｂｉｏｌ．Ｐｈａｒｍ．Ｂｕｌｌ．Ｐｈａｒｍａｃｅｕｔｉｃａｌ  Ｓｏｃｉｅｔｙ  ｏｆ  Ｊａｐａｎ、２３（７）８６６（２０００）
【０００５】
【発明が解決しようとする課題】
しかしながら、佃煮は使用する原料の関係上、用途が副食品に限定され、生産量の向上も期待できないものであった。そこで、和食の副食的存在から離れた新規な食品として消費拡大を行うためには、消費者のニーズに応え、佃煮に機能性を付与させ、医食同源の佃煮とすることが消費者の間から望まれていた。
【０００６】
本発明は、機能性を有した医食同源の佃煮を提供することを目的とする。
【０００７】
【課題を解決するための手段】
本発明者らは、佃煮を和食の副食的存在から離れた新規な佃煮とするには、佃煮が、原料の持つ特性にのみ依存することに着目し、各種原料の検索を進めた結果、ハナビラタケの機能性および食材としての好適合性（優れた食感、風味）を見出し、本発明に到達した。
【０００８】
すなわち本発明は、乾燥又は生のハナビラタケからなる佃煮を要旨とするものであり、また別の発明は、乾燥又は生のハナビラタケを食塩濃度１０（ｗ／ｖ）％以下の調味液に浸漬し、その後水分含量を調整することを特徴とするハナビラタケ含有佃煮の製造方法を要旨とするものである。
【０００９】
【発明の実施の形態】
以下、本発明を詳細に説明する。
本発明で使用されるハナビラタケは、カラマツに生えるきのこであって、非常に僅少なきのこである。歯ごたえがよく、その純白の色合いと葉牡丹のような形態が特徴である食用きのこである。これまで、このハナビラタケは成長が遅く人工栽培は非常に困難であるとされてきたが、最近になって、比較的短期間で栽培可能な新しい栽培法が確立され、商業規模での供給が可能となったきのこである。本発明で使用するハナビラタケそのものについては天然のものでもよいし、あるいは人工栽培により得られたものであってもよい。人工栽培は、たとえば特開平１１−５６０９８号号公報、特開２００２−３６９６２１号公報、特開２００２−１２５４６０号公報などに記載された方法により実施することができる。
【００１０】
本発明の方法は、先ず、ハナビラタケを適度な大きさに裁断し、調味液に浸漬することが必要である。
ここで用いられる調味液は、食塩濃度が１０ｗ／ｖ％以下である限り特に限定されないが、醤油、食塩の他に砂糖、水飴及び少量の化学調味料が添加されているものが好ましい。
通常、調味液は生のハナビラタケ原料の１．５倍程度が良く、これ以上多くしても佃煮にすべく水分調整をする時不利であるため好ましくない。
浸漬して３０℃〜１００℃で、２時間〜２４時間ぐらい放置し、水分含量が３５〜４５％程度になるまでになれば、佃煮に必要な粘度と風味が生ずる。
【００１１】
また本発明においては、ハナビラタケ以外の素材、例えば昆布など、を加えることもでき、その場合には調味液に浸漬する前に、ハナビラタケと他の素材を混合すればよい。
【００１２】
本発明のハナビラタケ含有佃煮は、上記の本発明の方法で得られる佃煮であった、原料中の成分は、すべて製品中に移行することになり、つまりハナビラタケ中の機能性物質は佃煮中に移行する。得られた佃煮は必要に応じて容器に入れて製品とする。
【００１３】
佃煮は通常、海産物、海藻又は野菜類に原料が限定され、このため機能性のある食品とすることができないが、本発明の佃煮では、原料のハナビラタケの食材としての好適合性（優れた食感、風味）が活かされ、ハナビラタケの機能性成分が全て佃煮中に移行するので、加えて、機能性のある佃煮とすることができる。
【００１４】
【実施例】
以下、実施例により本発明を具体的に説明する。
実施例１
ハナビラタケ（ユニチカ社製）１０ｋｇを野菜裁断用カッターで、約４ｃｍに裁断し、食塩濃度７ｗ／ｖ％、砂糖濃度１５ｗ／ｖ％と、極く小量の化学調味料を含む調味液（ＰＨ５．３に調製）を準備し、その１８ｋｇに前記ハナビラタケを浸漬した。３５℃以下の室温で５時間浸漬させ、次に約９０℃の温度にて４時間加熱処理を行った。さらに加熱を続け、水分率が４０％になるまで加熱処理して製品とした。
【００１５】
実施例２
生のハナビラタケ７ｋｇを実施例１に準じて裁断し、昆布３ｋｇと良く混合し、食塩濃度９ｗ／ｖ％の外は実施例１に準じて調製した調味液１８ｋｇに入れて浸漬した。浸漬後は実施例１と同様に処理して佃煮とした。
【００１６】
比較例１
原料として昆布のみを使用した佃煮を、実施例１に準じて作製した。
【００１７】
実施例１、２および比較例１の佃煮について、１８名による官能審査を行った結果を表１に示した。
【００１８】
【表１】
2004290159.tif 000002
【００１９】
【発明の効果】
本発明のハナビラタケ含有佃煮は、ハナビラタケの食材としての好適合性（優れた食感、風味）が活かされ、かつ機能性のある新しい佃煮となることを見出すことができた。
(57)【要約】【課題】半身浴をする際に、従来は、腰掛けイスを浴槽の中に出し入れしたりしてめんどうだったり、腰掛け部分を余分に設けたりしていたが、腰掛け台を、浴槽内に収納したり、折りたたんだりする事により、楽に出し入れができ、しかも浴槽内をスッキリした状態にする事ができる。【解決手段】浴槽１の側面に、下部を基点又は軸として可動する、板状の台３を設ける。又、強度を増すために、足部４を設ける事もできる。【選択図】  図４
2004290645.tif 000002
【特許請求の範囲】
【請求項１】
浴槽１の側面に、可動式の板状の台３を、設けた浴槽。
【発明の詳細な説明】
【０００１】
【産業上の利用分野】
この発明は、収納式の腰掛け台を設けた、浴槽である。
【０００２】
【従来の技術】
最近、半身浴の効果が一般的に知られる様になってきた。従来から、浴槽の一部に腰掛け部分を設けたり、腰掛けイスを浴槽の中に入れて使ってきたが、腰掛け部分を設けた場合は、その部分のスペースを確保する為に浴槽を大きくしなければならず、腰掛けイスを浴槽に入れて使う場合は出し入れに手間がかかったり、使わない時は邪魔となっていた。
【０００３】
【発明が解決しようとする課題】
この発明は、これを設置するする事により、余分なスペースを取る事もなく、又、出し入れの手間も省け、使わない時は、収納する事もできる。
【０００４】
【課題を解決するための手段】
浴槽１の側面に、空間部２を設ける。その空間部２に収まる様に、下部を、基点又は、軸として可動する、板状の台３を設ける。又、浴槽１に空間部２を設けないで、浴槽１の側面に、可動する板状の台３を設ける事もできる。
これらの板状の台３を強化するために、足部４等を設ける事もできる。
【０００５】
【作用】
以上の構成であるから、板状の台３を縦横に作動する事ができる。
【０００６】
【発明の効果】
従って、使う時には、縦にしてある板状の台３を、横に倒すことによって、イスとして腰掛ける事が出来る。又、使わない時は、板状の台３を、起こす事により、収納する事ができる。
【図面の簡単な説明】
【図１】浴槽１の腰掛け台の本発明の実施の一例を示す斜視図である。
【図２】図１の板状の台３を収納した場合の斜視図である。
【図３】図１のＡ−Ｂ断面図である。
【図４】板状の台３に、足部４を設けた場合の斜視図である。
【図５】図４のＣ−Ｄ断面図である。
【図６】図５の板状の台３と足部４を、収納した断面図である。
【図７】本発明の空間部２を設けない場合の、浴槽１の斜視図である。
【図８】図７のＥ−Ｆ断面図である。
【図９】
【図１０】
【図１１】足部の一例を示す斜視図である。
【符号の説明】
１  浴槽
２  空間部
３  板状の台
４  足部
【図１】
2004290645.tif 000003
【図２】
2004290645.tif 000004
【図３】
2004290645.tif 000005
【図４】
2004290645.tif 000006
【図５】
2004290645.tif 000007
【図６】
2004290645.tif 000008
【図７】
2004290645.tif 000009
【図８】
2004290645.tif 000010
【図９】
2004290645.tif 000011
【図１０】
2004290645.tif 000012
【図１１】
2004290645.tif 000013
【手続補正書】
【提出日】平成15年6月19日(2003.6.19)
【手続補正１】
【補正対象書類名】明細書
【補正対象項目名】図面の簡単な説明
【補正方法】変更
【補正の内容】
【図面の簡単な説明】
【図１】浴槽１の腰掛け台の本発明の実施の一例を示す斜視図である。
【図２】図１の板状の台３を収納した場合の斜視図である。
【図３】図１のＡ−Ｂ断面図である。
【図４】板状の台３に、足部４を設けた場合の斜視図である。
【図５】図４のＣ−Ｄ断面図である。
【図６】図５の、板状の台３と足部４を、収納した断面図である。
【図７】本発明の空間部２を設けない場合の、浴槽１の斜視図である。
【図８】図７のＥ−Ｆ断面図である。
【図９】足部４の一例を示す斜視図である。
【図１０】足部４の一例を示す斜視図である。
【図１１】足部４の一例を示す斜視図である。
【符号の説明】
１  浴槽
２  空間部
３  板状の台
４  足部
(57)【要約】［課題］最新の笛吹きケトルを使ってみた。笛の開閉がもっとうまく行くように出来ないものかと思った。また、素材がステンレスなので、なかなか沸かない。そして、形が従来の薬缶に比べて見劣りがする。［解決手段］従来の笛吹きケトルとは異なって、薬缶の注ぎ口の蓋となって沸騰を知らせるように鳴る笛を、挺で以て開閉操作できるように、薬缶の鉉の前方の曲り角の頂にその挺の支点を着脱可能に、その挺の先端の作用点に笛を、その挺の末端の力点は挺の末端の力点は鉉を握った手の親指で以て押えて笛が開くように鉉の上空に位置するように設けた、アラームケトルと呼ぶことにする、過沸騰警報薬缶。【選択図】図１
2004290643.tif 000002
【特許請求の範囲】
【請求項１】
従来の笛吹きケトルとは異なって、薬缶の注ぎ口の蓋となって沸騰を知らせるように鳴る笛を、挺で以て開閉操作できるように、薬缶の鉉の前方の曲り角の頂にその挺の支点を着脱可能に、その挺の先端の作用点に笛を、その挺の末端の力点は鉉を握った手の親指で以て押えて笛が開くように鉉の上空に位置するように設けた、アラームケトルと呼ぶことにする、過沸騰警報薬缶。
【請求項２】
「請求項１」における「アラームケトル」を銅または真鍮で以て成形し、その上にニッケルまたはクロムを鍍金した、過沸騰警報薬缶。
【発明の詳細な説明】
【０００１】
［発明の属する技術分野］
湯を沸かす薬缶を発展させたものである。
【０００２】
［従来の技術］
薬缶には、一般に、笛の付かない普通のものと沸騰を知らせる笛を設けた所謂笛吹きケトルとがある。
その両者は、一般的に形状を異にしている。それは、ケトルが発生的に注ぎ口から給水するようになっているからである。
もう１５年くらい前になるが、ケトルを求めて使ってみて、給水が不便であったので、普通のもののように、大きな注ぎ口を頂上に設けるべきだと考えた。それを覗いていたに違いない業界が最近になって私の案のものを市場に出した。
求めて使って見ると、給水は確かに便利になっているが、形は旧態依然たるものだし、笛の開閉には矢張り手間が掛かるままであった。
【０００３】
［発明が解決しようとする課題］
そこで、先ず形状を通常の薬缶に近い優雅なものにしたい。その上で、笛の開閉を簡単に操作できるようにしたい。
【０００４】
［課題を解決するための手段］
そこで、注ぎ口の笛の開閉は、鉉を握って湯を注ぐ場合に、簡単な操作で出来るようにしたい。
また、材質であるが、ケトルはどうしたことかステンレスが多い。しかし、ステンレスは熱伝導率が極めて悪く、加熱容器としては熱効率が最低である。
しかし、その出す光沢は随一であり、出来ることなら、外観面はステンレスで作りたい。それで、底だけは、銅や真鍮や或いはアルミなどの熱効率の良いものにしたい。
そして、従来のアルミ薬缶のように一体成形にするものは、銅か真鍮を用い、それに白銀色に輝くニッケルかクロムのメッキを鍍したい。
また、私は学生時代、エルジンだかエニカだかの腕時計を求めたが、その側はアルミに金色メッキしたものであった。金色は金なのか金合金か判らないが、可能ならば本発明にも使って見たい。アルミは熱効率が良い上にとても軽い。勿論ニッケルで行ければこの上はない。
【０００５】
［発明の実施の形態］
私はこのように書き物をしながら、薬缶をガスに掛けていて忘れてしまうことがよくある。
家庭内で、多面的に作業する人には、本発明は必需品に近い。
ところがこれまでどうしたことか、不細工なものが多く、便利ではあっても、引き付ける魅力が乏しかった。
科学的で優雅なものに開発製作して、Ｍ．ＮＡＧＡＩの銘柄で、日常生活面にも少しでも上品で美しくありたいと願う世界の多くの人々に愛用して貰いたいと願っている。
昔、イギリスの上流家庭は、インドやセイロン産の紅茶を日本のイマリで喫するを最上としていたそうである。日本の磁器が、既に１７世紀には遠く海を渡って輸出され、イギリスでも世界の一流銘柄になっていたのである。
その国を象徴するものはいろいろあろう。しかし、一般の人は、ダンヒルでイギリスを、シャネルでフランスを、ベンツでドイツを、スポルディングでアメリカをと言うように、外国をその国の代表銘柄への憧れで以て認識している。その優劣が国の値打ちを押しつける。
今日果たして、世界に散蒔く大衆製品はあっても、これこそ日本だと言う象徴銘柄が存在しえておろうか。大衆から上流まで、使う求めないに拘らず、永いその人の人生において、一度は持ってみたいと世界の人々が憧れてくれる象徴銘柄が我国に存在しておろうか。
そう言う銘柄は、得てして、嗜好品の分野に多い。
イマリが酒井田柿右衛門によってそうであったように、それが世界的有名銘柄となるには、前代を乗り越える優れた発明が必要である。
科学は、一般的には機能に結実すると思われているが、決してそうではなく、真の科学は上品な美しさに実を結ぶ。
本発明も、その属する分野において、多くの協力者を得て、日本を象徴する世界の一流銘柄に育てたいと思っている。
【図面の簡単な説明】
【図１】図面は、本発明における笛吹き蓋の開閉のための挺の在り様を示した簡単な側面図である。
【図１】
2004290643.tif 000003
(57)【要約】【課題】Ｘ線ＣＴ検査における患者の準備時間を短縮し、単位時間あたりの検査件数を増やす。【解決手段】第一寝台１の患者がＸ線ＣＴ検査室で検査を行っている間、別の患者が第二更衣室で準備をし、第二寝台２に横になる。検査が終了したら、そのまま第一寝台１を第一更衣室に移動し、併せて第二寝台２をＸ線ＣＴ検査室に移動し次の検査を実施する。各部屋の壁はすべて放射線防護のため、遮蔽基準を満たす構造とする。Ｘ線ＣＴ検査室では、常に検査が行われることになり、単位時間あたりの検査件数を増やすことができる。【選択図】図１
2004290640.tif 000002
【特許請求の範囲】
【請求項１】
Ｘ線ＣＴ装置の寝台を複数設置することにより、検査の効率化を図る装置
【発明の詳細な説明】
【０００１】
【発明の属する技術分野】
本発明は、Ｘ線ＣＴ装置に寝台を複数設置し、患者は寝たままの状態で更衣室からＣＴ装置に移動できるようにした。そのことにより、服の脱着、寝台への移動、静脈ルートの確保、寝台から更衣室への移動といった一連の準備動作に要する時間を短縮できるため、単位時間あたりの検査件数を増加させ、Ｘ線ＣＴ検査の効率化が図れる。
【０００２】
【従来の技術】
従来、Ｘ線ＣＴ装置に寝台は一つしかないため、患者の更衣室からＸ線ＣＴ検査室への移動、寝台への患者セッティング、静脈ルートの確保、寝台から更衣室への移動といった一連の動作が行われている間、次の患者はＸ線ＣＴ検査室等で待っている必要があった。静脈ルートの確保が難しい患者では、Ｘ線ＣＴ装置の寝台の上で長時間、ルート確保のため時間を費やすこともある。
【０００３】
【発明の実施の形態】
本発明は、Ｘ線ＣＴ装置に寝台を複数設置したもので、それを図面にて説明すれば、第一寝台１に患者が横になりＸ線ＣＴ検査室で検査を行う。その間、第二更衣室で次の患者は衣服の用意をし、第二寝台２に横になる。第一寝台１の検査が終了したら、そのまま第一寝台１は第一更衣室に移動し、併せて第二寝台２をＸ線ＣＴ検査室に移動し次の検査を実施する。その間に第一更衣室で次の患者の準備を行う。Ｘ線ＣＴ検査室では常に患者の検査が行われることになる。各部屋の壁はすべて放射線防護のため、遮蔽基準を満たす構造とする
【０００４】
【発明の効果】
このようにすれば、前の患者が検査を行っている間に、次の患者の準備ができ、更衣、移動、静脈ルート確保等で要する時間を節約できる。さらに患者同士が接触する機会がないため、プライバシーの保護にも役立つ。
【図面の簡単な説明】
【図１】複数の寝台を利用したＸ線ＣＴ装置の実施例を示す平面図である。
【符号の説明】
１  第一寝台
２  第二寝台
【図１】
2004290640.tif 000003
(57)【要約】【課  題】子供からお年寄りまで、誰でも簡単かつ安全に牛乳パックリサイクルのための解体作業ができる牛乳パック簡易解体器を提供する。【解決手段】牛乳パックが、がたつきなく納まる円筒形容器の内側に切断ナイフを取り付けたことを特徴とする。容器（１）の内側に固定されている切断ナイフ（２）の先端と牛乳パック側面を合わせ回転させるだけで牛乳パックを切り開くことができる。【選択図】  図１
2004290636.tif 000002
【特許請求の範囲】
【請求項１】
牛乳パック底面の対角線の長さを直径とする底面を持つ円筒形をした容器内側に、図１に示す大きさの切断ナイフを取り付けた牛乳パック簡易解体器。
【発明の詳細な説明】
【０００１】
【発明の属する技術分野】
本発明は、リサイクルの際に牛乳パック解体に使用するカッターナイフである。
【０００２】
【従来の技術】
従来牛乳パックを解体する際には、はさみ、ナイフ、包丁などを使用していた。
【０００３】
【発明が解決しようとする課題】
これには、次のような欠点があった。
（イ）      はさみは、箱の底面を解体するために力を要する。
（ロ）      ナイフや包丁は、安全に底面を切り開くために技術を要する。
本発明は、これらの欠点を除くためになされたものである。
【０００４】
【課題を解決するための手段】
牛乳パック底面を、がたつきなくはめ込むことができる円筒形をした容器（１）の内側側面に固定された切断ナイフ（２）の先端を牛乳パック側面に接するよう位置決めをして牛乳パック底面が容器（１）の底につくまで入れ回転させる。すると牛乳パックを解体できるので問題点を解決している。
【０００５】
【発明の実施の形態】
牛乳パックを、円筒形容器（１）に容器（１）内側側面に固定された切断ナイフ（２）の先端を牛乳パック側面に接するよう位置決めをして牛乳パック底面が容器（１）の底につくまで入れ回転させる。すると、牛乳パック（３）底面を切り開くことができ牛乳パックを解体できる。
【０００６】
【発明の効果】
容器（１）の内側に固定されている切断ナイフ（２）の先端と牛乳パック側面を合わせるだけなので技術を必要とせず安全である。また容器（１）を回転させるだけで切り開くことができるため力も必要としないので子供からお年寄りまで使用できる。
【図面の簡単な説明】
【図１】本発明の使用中、上方平面図である。
【図２】本発明の使用中、側面図である。
【符号の説明】
（１）容器
（２）切断ナイフ
（３）牛乳パック
【図１】
2004290636.tif 000003
【図２】
2004290636.tif 000004
(57)【要約】      （修正有）【課題】高齢者および、身体障害者が安心して歩行できる、歩行介助杖を実現させる技術を創造する。【解決手段】複数個からなる白色および有色の発光素子を定められた順序に配置し、これに定められた発光信号を発光させて第３者に知覚させる手段をもって解決する。この視覚信号発光器２は、市販の歩行介助杖に簡単に取り付けれ、廉価と安心を提供する歩行介助杖を実現する。【選択図】  図１
2004290633.tif 000002
【特許請求の範囲】
【請求項１】
高齢者または、身体障害者向けの歩行介助杖において、白色および有色の発光素子を複数個配置した視覚信号発光器を有し、これらを点灯または、点滅させて定められた発光信号を行わせることにより、第３者に歩行者の存在を強く視覚させることを特徴とする歩行介助杖。
【請求項２】
また、視覚信号発光器は、個別にまたは、一体化された電池部と発光部とからなり、これらが汎用の歩行介助杖にも、簡単に取り付けできる構造にした請求項１記載の歩行介助杖。
【請求項３】
発光素子の周辺に光反射効果を高める素材を配置して、その視認性を高め、昼夜を問わず機能するように創造された、請求項１および、２記載の歩行介助杖。
【請求項４】
電池ケースの固定が、杖の先端部による足部への押し付けにより、保持される構造を有する、請求項１、２および、３記載の歩行介助杖。
【発明の詳細な説明】
【０００１】
【発明の属する技術分野】
本発明は、高齢者または、身体障害者の歩行に安心を与えることを創造した歩行介助杖の技術に関するものである。  すなわち、歩行介助杖から定められた光信号を発光させて、第３者にこれを視覚させることにより歩行者への安全を図らせるとともに、使用者の歩行活動に安心感を与えるものである。
【０００２】また、定められた発光信号は、高齢者または、身体障害者の歩行を第３者に知覚させる交通信号ともなり得るので、その標準化・統一化により、より有用性を高めることができる。
【０００３】
【従来の技術】
従来の歩行介助杖の中には、杖に照明器具を付加して夜間歩行の便に供する技術の採用が見受けられる。  これらは汎用の懐中電灯と同じで、歩行者への利便性を与えるのがその主目的であり、第３者に歩行者の存在を知らしめたり、歩行者を特定する機能に欠ける。
【０００４】
また、そのほとんどは照明器具などを杖内部に組み込んだ個別商品として販売されている。幸い、この部分を汎用の杖に取り付け可能であっても、何らかの改造を要するものが殆どである。これらは複雑でコスト高を招き、普及の妨げとなつている。
【０００５】
また、定められた発光信号を発光させる視覚信号発光器の創造と、これらが汎用の歩行介助杖にも簡単に取り付けられる本発明は、全く新しい発想である。
【０００６】
【発明が解決しようとする課題】
高齢者または、身体障害者の歩行を第３者に確実に知覚させる歩行介助杖を開発することと、それらを廉価に提供すること。
【０００７】
【問題を解決するための手段】
請求項１および、２に記載したように、複数個の発光素子から定められた発光信号を発光させる視覚信号発光器の開発によって実現できる。これを杖全体の独自商品とするか、汎用の歩行介助杖のパイプ部に簡単に取り付けできる構造技術によつて解決できる。
【０００８】
【発明の実施の形態】
図１に、本発明に関わる視覚信号発光器を備えた歩行介助杖の実施例を示す。
▲１▼杖部は、本発明商品として独自に製作するか、一般に市販されているパイプ型の歩行介助杖が利用できる。この足の部分に本発明の▲２▼視覚信号発光器が取り付けられている。市販の歩行介助杖を利用する場合は、その足を取り外し代わりに▲２▼視覚信号発光器が取り付けられる。
【０００９】
図２は、▲２▼視覚信号発光器を分解した説明図である。  ▲３▼足部には、発光信号を発光させる複数個の白色または、有色の▲４▼発光素子が定められた順序に配置され、それらが互いに電気配線されている。この▲４▼発光素子の光軸方向は、使用者の目に発光が直接入らないように考慮して▲１▼杖部に直角方向が好ましい。▲５▼ふち部に垂直に埋め込むこともできるが、この場合には、発光が直接目に入らないように傘などを設けることが賢明である。  ▲４▼発光素子の周辺に、光反射効果を高める素材を埋め込むとか、貼り付けることにより、昼間でも発光信号を充分に視覚できるよう工夫されている。これは、請求項２を達成させるものである。▲６▼円柱穴は、▲１▼杖部と▲３▼足部とを強固に固持させる役目を担う。このために▲３▼足部は、弾力性に富むゴム材料または、プラスチック樹脂が使用される。
▲７▼スイッチは、▲２▼視覚信号発光器のオン／オフを行うもので、防水タイプ性が要求される。
【００１０】
▲８▼電池ケースには、単２または、単３型の乾電池が複数個収納され、両端の▲９▼端子部からその電源が取り出され、▲１０▼駆動回路および▲４▼発光素子へ供給される。
▲８▼電池ケースの外形寸法は、▲１２▼パイプ内径にかん合される適切な値に設定され、その隙間は、▲１１▼隙間リングによって柔軟に保持される工夫がなされている。
▲１４▼つば部は、▲１３▼パイプ端部によって、▲８▼電池ケースを▲３▼足部方向に押し付けて保持させる役目を持ち、杖が使用される時には常に大地方向に押し付けられることになる。これによつて請求項４が達成される。
【００１１】
▲１０▼駆動回路は、▲８▼電池ケースに取り付けられその機能は、請求項１に記載したように、▲７▼スイッチがオンで、▲２▼視覚信号発光器が動作し、定められた発光信号を▲４▼発光素子に発光させる。また、定められた発光信号の形態によっては、▲１０▼駆動回路が不要な場合もある。
【００１２】
請求項２に記載したように、▲３▼足部および▲８▼電池ケースは、それぞれ個別に製作して使用される構造とするか、両者が一体形状として成形される。
【００１３】
【発明の効果】
以上説明したように本発明は、高齢者や視覚障害者の歩行を第３者に知覚させて彼らが安心して歩行活動を可能とする歩行介助杖を提供できる。これらの製作には、高度な生産設備や生産技術は不要であり、何よりも、汎用の歩行介助杖を有効に利用できるので、廉価な商品の実現とその普及に有用な技術と言える。
【００１４】
【図面の簡単な説明】
【図  １】視覚信号を発光する歩行介助杖の実施例である。
【符号の説明】
▲１▼  杖部
▲２▼  視覚信号発光器
【図  ２】視覚信号発光器を分解した説明図である。
【符号の説明】
▲３▼  足部
▲４▼  発光素子
▲５▼  ふち部
▲６▼  円柱穴
▲７▼  スイッチ
▲８▼  電池ケース
▲９▼  端子部
▲１０▼  駆動回路
▲１１▼  隙間リング
▲１２▼  パイプ内径
▲１３▼  パイプ端部
▲１４▼  つば部
【図１】
2004290633.tif 000003
【図２】
2004290633.tif 000004
(57)【要約】【課題】本発明は、携帯に嵩張らず、螺着するだけですぐに簡易トイレとなり、近くにトイレない外出先や渋滞中に、小便をもよおした時に車内でも気兼ね無く利用でき、器具の低コストも考えた、空ペットボトルを簡易トイレに利用できる接続便器具を得る。【解決手段】任意形状となる漏斗状部の下部に円筒螺合部を設け、その円筒螺合部の内側中心に、下方に伸びる内部円筒を設け、円筒螺合部の外周壁から内側の内部円筒に傾斜した複数の気孔を貫通させ、漏斗状部からの小水が流れやすく、消音となるようにし、内部円筒をペットボトルに挿入し、ペットボトルの上端のキャップ螺合口と円筒螺合部とを螺合する手段を講ずる。【選択図】  図１
2004290639.tif 000002
【特許請求の範囲】
【請求項１】
任意形状となる漏斗状部の下部に円筒螺合部を設け、その円筒螺合部の内側中心に、下方に伸びる内部円筒を設け、円筒螺合部の外周壁から内側の内部円筒に傾斜した複数の気孔を貫通させ、漏斗状部からの小水が流れやすく、消音となるようにし、内部円筒をペットボトルに挿入し、ペットボトルの上端のキャップ螺合口と円筒螺合部とを螺合することを特徴とする空ペットボトルを簡易トイレに利用できる接続便器具。
【請求項２】
円環状で外周壁に螺刻部を形成した螺合リングを設け、その螺合リングに合成樹脂或いは合成繊維の袋の開口部を挿通して折り曲げ、袋の開口部が螺合リングの外周壁の螺刻部に被着させ、前記円筒螺合部と螺着できることを特徴とする請求項１記載の空ペットボトルを簡易トイレに利用できる接続便器具。
【発明の詳細な説明】
【０００１】
【発明の属する技術分野】
本発明は便所の無い場所や、渋滞中の車内で空ペットボトルを簡易トイレに利用できる接続便器具に関する。
【０００２】
【従来の技術】
従来、便所の無い場所や走行中の車内で小便をしたくなった時、その場で使用できるものとしては、専用のポータブル簡易トイレなどがあった。
【０００３】
【発明が解決しようとする課題】
従来より、外出先や、車で走行中に渋滞に遭遇し、万悪く小便をもよおした場合、近くにトイレない時など、どうしたらいいか焦る思いを多くの方が体験されている。そして、専用のポータブル簡易トイレなど市販されているが高額なもので使用し難い問題があった。
【０００４】
本発明は、携帯に嵩張らず、螺着するだけですぐに簡易トイレとなり、近くにトイレない外出先や渋滞中に、小便をもよおした時に車内でも気兼ね無く利用でき、器具の低コストも考えた、空ペットボトルを簡易トイレに利用できる接続便器具の提供を目的とするものである。
【０００５】
【課題を解決するための手段】
前記の課題を達成するため、任意形状となる漏斗状部の下部に円筒螺合部を設け、その円筒螺合部の内側中心に、下方に伸びる内部円筒を設け、円筒螺合部の外周壁から内側の内部円筒に傾斜した複数の気孔を貫通させ、漏斗状部からの小水が流れやすく、消音となるようにし、内部円筒をペットボトルに挿入し、ペットボトルの上端のキャップ螺合口と円筒螺合部とを螺合する手段を講じている。
【０００６】
また、円環状で外周壁に螺刻部を形成した螺合リングを設け、その螺合リングに合成樹脂或いは合成繊維の袋の開口部を挿通して折り曲げ、袋の開口部が螺合リングの外周壁の螺刻部に被着させ、前記円筒螺合部と螺着できるすることが好ましい。
【０００７】
【発明の実施の形態】
発明の実施の形態を実施例にもとづき図面を参照して説明する。
図１〜図２において示す実施例では、任意形状となる漏斗状部１の下部に円筒螺合部２を設け、その円筒螺合部２の内側中心に、下方に伸びる内部円筒３を設け、円筒螺合部２の外周壁から内側の内部円筒３に傾斜した複数の気孔４を貫通させ、漏斗状部１からの小水が流れやすく、消音となるようにし、内部円筒３をペットボトル５に挿入し、ペットボトル５の上端のキャップ螺合口６と円筒螺合部２とを螺合して使用するものである。
【０００８】
また、用を足した後、円筒螺合部２とペットボトル５を離脱し、ペットボトル５の上端のキャップ螺合口６に、キャップ７を螺着すれば車内などで小水が漏れず衛生的である。
【０００９】
また、図３において示す実施例では、円筒螺合部２に螺着できる円環状の螺合リング８を設け、その螺合リング８に合成樹脂或いは合成繊維の袋９の開口部１０を挿通し、袋９の開口部１０を螺合リング８の縁に添って折り曲げ、螺合リング８の外周壁の螺刻部１１に、袋９の開口部１０を被着するよう螺着し使用し、用を足せばこぼれないよう袋９の上部と螺合リング８を持って、キャップ７を螺着すれば良いものである。
【００１０】
【発明の効果】
本発明は、以上説明したように構成されているので、下記に記載されるような効果を奏している。
【００１１】
本発明の、空ペットボトルを簡易トイレに利用できる接続便器具においては、外出先や、車で走行中に渋滞に遭遇しても、焦ることなく、老若男女が身近で気兼ね無く使用でき、小水タンク部に空ペットボトルを利用出来て低コストを実現するとともに、使用後には接続便器具とペットボトルを離脱して、ペットボトルをキャップで閉め、小水が漏れないよう衛生的に処理できるものである。
【図面の簡単な説明】
【図１】本発明の接続便器具の実施例を示す斜視図である。
【図２】本発明の接続便器具をペットボトルを螺合する実施例を示した斜視図である。
【図３】本発明の接続便器具に螺合リングを用いて袋を螺合する実施例を示した斜視図である。
【符号の説明】
１  漏斗状部
２  円筒螺合部
３  内部円筒
４  気孔
５  ペットボトル
６  キャップ螺合口
７  キャップ
８  螺合リング
９  袋
１０  開口部
１１  螺刻部
【図１】
2004290639.tif 000003
【図２】
2004290639.tif 000004
【図３】
2004290639.tif 000005
(57)【要約】      （修正有）【課題】コタツ布団を洗うのは大変なためコタツ布団の上にクロスカバーを取り付けてテーブル周りをガードし、汚れたらすぐに外して手軽るに洗えいつも清潔にでき、使用しないときなど、コタツ布団の収納に役立つ。クロスカバーをコタツ布団本体から取り外しコタツ布団本体を包めば小さく収納できるお役立ちクロスカバー付きうすがけコタツ布団を提供する。【解決手段】コタツ布団本体１の対角線上の各コーナー部より内側に、又は中心線上の外側より内側方向にボタン又は、ホック凹Ａ、又はマジックテープ（登録商標）２を数個設ける。本体の中心部にはホック凹Ｂ、又はボタン３を設ける。クロスカバー４の対角線上の各コーナーに、ボタン穴、又はホック凸Ｂ、又はマジックテープを数箇所儲け、クロスカバー４の中心部にホック凸、又はボタン穴を設け、コタツ布団本体１に取り付け、ホック又はボタン穴を支点にして回転するようにした。【選択図】図１
2004290631.tif 000002
【特許請求の範囲】
【請求項１】
コタツ布団本体（１）の対角線上の各コーナー外側部の内側に、又は中心線上の外側部の内側にボタン又は、ホック凹Ａ又はマジックテープ（２）等を数箇所設け、本体（１）の中心部にホック凹Ｂ又は、ボタン穴（３）等を設ける、そして、クロスカバー（４）を設け、そのクロスカバー（４）の対角線上の各コーナー部の内側にボタン穴又はホック凸Ａ又はマジックテープ（５）を数箇所設け、クロスカバー（４）の中心部にホック凸Ｂ又はボタン穴（６）を設けたお役立ちクロスカバー付き、うすがけコタツ布団。
【請求項２】
クロスカバー（４）をコタツ布団本体（１）から簡単に取り外しが可能であり、家庭で手軽に洗える素材で、すぐに洗え、乾いた後、容易に取り付けができ、いつでも清潔であり、中心部がボタン等で留められるためずれない請求項１記載のお役立ちクロスカバー付き、うすがけコタツ布団。
【請求項３】
コタツ布団本体（１）の収納時、クロスカバー（４）をもって、コタツ布団本体（１）を包み込む大きな風呂敷のように使用でき、コタツ布団本体（１）を小さく梱包できる請求項１記載のお役立ちクロスカバー付き、うすがけコタツ布団。
【発明の詳細な説明】
【０００１】
【発明の属する技術分野】
この発明は、コタツ布団の上に掛けるクロスカバーに関するものである。
【０００２】
【従来の技術】
従来、コタツ用布団カバーにはいろいろの技術が知られている。（例えば、特許物件１参照）
【０００３】
【特許物件１】
特開２０００−２９７９３４号
【０００４】
【発明が解決しようとする課題】
これには次のような欠点があった。
（イ）  汚れたコタツ布団を洗うのは大変であり、面倒であった。
（ロ）  クリーニング代が高くついた。
（ハ）  不要になる時期に布団の収納が大変であった。
本発明は、これらの欠点を除くためになされたものである。
【０００５】
【課題を解決するための手段】
コタツ布団本体（１）の対角線上の外側部又は中心線外側部の内側に、ボタン又はホック凹Ａ又はマジックテープ（２）等を数箇所設け、コタツ布団本体（１）の中心部にホック凹Ｂ又は、ボタン（３）を１個設ける。
そして、クロスカバー（４）を設け、そのクロスカバー（４）の対角線上の各コーナー内側にボタン穴又はホック凸Ａ又はマジックテープ（５）を数箇所設け、中心部にボタン又はホック凸Ｂ（６）を設ける。
本発明は、以上のような構造よりなるお役立ちクロスカバー付き、うすがけコタツ布団である。
【０００６】
【発明の実施の形態】
以下、本発明の実施の形態について説明する。
（イ）  コタツ布団本体（１）の対角線上各コーナーの内側部の数箇所、又は中心線外側部の内側の数箇所にボタン又はホック凹Ａ又はマジックテープ（２）を設ける。
（ロ）  コタツ布団本体（１）の中心部にボタン又はホック凹Ｂ（６）を設ける。
（ハ）  クロスカバー（４）の対角線上の各コーナーの内側に、ボタン穴又はホック凸Ａ又はマジックテープ（５）等、数箇所を設け、クロスカバー（４）の中心部にボタン穴又はホック凸Ｂ（６）を設ける。
本発明は、以上のような構造で、これを使用するときは、コタツ布団本体に、クロスカバーをかけて、ボタン又はホック又はマジックテープでクロスカバーをコタツ布団本体に止める、また中心部のホック又はボタンも止める。そして、各コーナーのボタン又はホック又はマジックテープを外して、クロスカバーを自由に回転できるような構造にし、取り付け、取り外しを容易にして、すぐ洗濯ができ、コタツ布団をしまうときには、風呂敷代わりになるような構造にした。
【０００７】
【発明の効果】
家庭で手軽に洗える素材等を使用したクロスカバーを容易にコタツ布団にボタン又はフック又はマジックテープで取り付け又は取り外しができ、コタツ布団をしまうときには、風呂敷代わりになり、小さく包めるお役立ちクロスカバー付き、うすがけコタツ布団である。
【図面の簡単な説明】
【図１】本発明の平面図である。
【図２】本発明の実施例である。
【図３】本発明のクロスカバーの平面図である。
【図４】本発明のクロスカバーの回転したときの実施例である。
【図５】本発明の収納時の実施例である。
【符号の説明】
１  コタツ布団本体
２  ボタン又はホック凹Ａ又はマジックテープ
３  ホック凹Ｂ又はボタン穴
４  クロスカバー
５  ボタン穴又はホック凸Ａ又はマジックテープ
６  ホック凸Ｂ又はボタン穴
【図１】
2004290631.tif 000003
【図２】
2004290631.tif 000004
【図３】
2004290631.tif 000005
【図４】
2004290631.tif 000006
【図５】
2004290631.tif 000007